(57)【要約】【課題】バックライト非点灯時でも液晶表示素子の表示内容を認識しやすくすること。【解決手段】液晶表示素子と、この液晶表示素子の後面に設けたバックライトと、前記液晶表示素子と前記バックライトの間に有色の半透過板を備える。【選択図】　図１
2004113472.tif 000002
【特許請求の範囲】
【請求項１】
現在時刻等を表示する液晶表示素子と、この液晶表示素子の後面に設けたバックライトと、前記液晶表示素子と前記バックライトの間に有色の半透過板を備えた炊飯器。
【請求項２】
有色の半透過板は、透明樹脂の片面に有色の蛍光塗料を塗布したことを特徴とした請求項１記載の炊飯器。
【請求項３】
バックライトは発光素子とこの発光素子の光を導光拡散する透明な導光板と外装とから構成され、透明樹脂は、前記導光板であることを特徴とした請求項２記載の炊飯器。
【請求項４】
有色の半透過板は、オレンジ色とし、バックライトの発光色は、オレンジ色もしくは赤色もしくは緑色のいずれかとする請求項１記載の炊飯器。
【請求項５】
有色の半透過板は、透明樹脂の表面に有色の蛍光塗料を塗布し裏面には表面と異なる有色の塗料を塗布したことを特徴とした請求項１記載の炊飯器。
【請求項６】
有色の半透過板は、有色の半透明樹脂の表面に樹脂の色とは異なる有色の蛍光塗料を塗布したことを特徴とした請求項１記載の炊飯器。
【請求項７】
裏面の有色の塗料は、前記液晶表示素子の表示内容にあわせて色分けして塗布したことを特徴とした請求項５記載の炊飯器。
【発明の詳細な説明】
【０００１】
【発明の属する技術分野】
本発明は、炊飯に必要な情報を表示する液晶表示素子を備えた一般家庭あるいは業務用として使用される炊飯器に関し、詳しくは液晶表示素子の表示部を照らすために用いられるバックライトを備えた炊飯器に関するものである。
【０００２】
【従来の技術】
従来、この種の炊飯器は、炊飯に必要な情報を表示する液晶表示素子の表示内容を暗い場所でも鮮明に表示するために、透過型の液晶表示素子の後面にバックライトを備え、そのバックライトの光源により表示内容を認識しやすくしている。
【０００３】
そして、炊飯器を操作することでそのバックライトを通電するようにしたり、炊飯器の動作状態に応じてそのバックライトをオン／オフさせることで、常時バックライトを点灯しなくて無駄な電力を消費しない構成としている（例えば、特許文献１参照）。
【０００４】
【特許文献１】
特開平０７−２２２６７５号公報（第３−４頁）
【０００５】
【発明が解決しようとする課題】
しかしながら、前記従来の構成では、バックライトが非点灯時では、液晶表示素子の透過部はバックライトの構造物に反射した外光を見ることになり、非常に薄暗くて表示内容が認識しにくいものであり、デザイン上も見栄えのよくない物となると言う課題があった。
【０００６】
本発明は、上記課題を解決するもので、バックライトが非点灯状態でもより明るくて表示内容を容易に認識できるようにし、さらにデザイン性を向上した炊飯器の提供を目的としている。
【０００７】
【課題を解決するための手段】
前記従来の課題を解決するために、本発明の炊飯器は、現在時刻等を表示する液晶表示素子と、この液晶表示素子の後面に設けたバックライトと、前記液晶表示素子と前記バックライトの間に有色の半透過板を備えたものである。
【０００８】
これにより、バックライトが非点灯状態でも有色の半透過板により明るくて表示内容を容易に認識でき、さらに液晶表示内容をカラー表示できデザイン性を向上した炊飯器を提供することができる。
【０００９】
【発明の実施の形態】
請求項１に記載の発明は、現在時刻等を表示する液晶表示素子と、この液晶表示素子の後面に設けたバックライトと、前記液晶表示素子と前記バックライトの間に有色の半透過板を備えたものであり、バックライトが非点灯状態でも有色の半透過板により明るくて表示内容を容易に認識でき、さらに液晶表示内容をカラー表示で表示できデザイン性を向上した炊飯器を提供することができる。
【００１０】
請求項２に記載の発明は、上記請求項１に記載の発明において、有色の半透過板は透明樹脂の片面に有色の蛍光塗料を塗布したものであり、バックライトが非点灯状態でも蛍光塗料の発色により明るくて表示内容を容易に認識でき、かつ、液晶表示内容をカラー表示で表示できデザイン性を向上することができ、さらにバックライトの点灯時はバックライトの光が透明樹脂を透過し蛍光塗料に当たることで、いっそう表示を明るく見やすい炊飯器を提供することができる。
【００１１】
請求項３に記載の発明は、上記請求項２に記載の発明において、バックライトは発光素子とこの発光素子の光を導光拡散する透明な導光板と外装とから構成され、透明樹脂を前記バックライトの導光板としたものであり、バックライトが非点灯状態でも蛍光塗料の発色により明るくて表示内容を容易に認識でき、かつ、液晶表示内容をカラー表示で表示できデザイン性を向上することができ、さらに、バックライトの点灯時はバックライトの光が透明樹脂を通過し蛍光塗料に当たることで、いっそう表示を明るく見やすい炊飯器を提供することができる。
【００１２】
請求項４に記載の発明は、上記請求項１に記載の発明において、有色の半透過板をオレンジ色としバックライトの発光色はオレンジ色もしくは赤色もしくは緑色のいずれかとしたものであり、バックライトが非点灯状態でも有色の半透過板により明るくて表示内容を容易に認識でき、かつ、液晶表示内容をバックライト点灯時と同じカラー表示で表示できデザイン性を向上することができ、さらにバックライトを点灯するとバックライトの発光色で液晶表示内容を表示し、いっそう表示を明るく炊飯器の動作状態が認識しやすい炊飯器を提供できる。
【００１３】
請求項５に記載の発明は、上記請求項１に記載の発明において、有色の半透過板は透明樹脂の表面に有色の蛍光塗料を塗布し裏面には表面と異なる有色の塗料を塗布したものであり、バックライトが非点灯状態でも表面の蛍光塗料の発色により明るくて表示内容を容易に認識でき、かつ、液晶表示内容をカラー表示で表示できデザイン性を向上することができ、さらに、バックライトの点灯時はバックライトの光が裏面の塗料を通過し蛍光塗料に当たることで、バックライトの非点灯時とは異なる発光色で液晶表示内容を表示できいっそう表示を明るく表示内容が見やすい炊飯器を提供できる。
【００１４】
請求項６に記載の発明は、上記請求項１に記載の発明において、有色の半透過板は有色の半透明樹脂の表面に樹脂の色とは異なる有色の蛍光塗料を塗布したものであり、バックライトが非点灯状態でも表面の蛍光塗料の発色により明るくて表示内容を容易に認識でき、さらに液晶表示内容をカラー表示で表示できデザイン性を向上することができる。
【００１５】
さらに、バックライトの点灯時はバックライトの光が有色の半透明樹脂を通過し蛍光塗料に当たることで、バックライトの非点灯時とは異なる発光色で液晶表示内容を表示できいっそう表示を明るく表示内容が見やすい炊飯器を提供できる。
【００１６】
請求項７に記載の発明は、上記請求項５に記載の発明において、裏面の有色の塗料は、前記液晶表示素子の表示内容にあわせて色分けして塗布したものであり、バックライトが非点灯状態でも表面の蛍光塗料の発色により明るくて表示内容を容易に認識でき、さらに液晶表示内容をカラー表示で表示できデザイン性を向上することができる。
【００１７】
さらに、バックライトの点灯時はバックライトの光が裏面の塗料を通過し蛍光塗料に当たることで、一色の発光ダイオードでバックライトの非点灯時とは異なる何種類かの発光色で液晶表示内容を表示できいっそう表示を明るく表示内容が見やすい炊飯器を提供できる。
【００１８】
【実施例】
次に、本発明の実施例について、図面を参照しながら説明する。
【００１９】
（実施例１）
以下、本発明の第１の実施例を図１と図２を参照しながら説明する。図１において、１は炊飯器本体の表示部側壁で、この表示部側壁１の開口部の外面に操作パネル２が取り付けられている。３は炊飯器の動作を制御する電子回路を搭載している基板であり、４はこの基板３上に搭載された炊飯器の状態等を表示する透過型の液晶表示素子、５は液晶素子４の後面に配置されたバックライト、６は片面にオレンジ色の蛍光塗料７を塗布した透明樹脂であり、液晶表示素子４とバックライト５との間に配置している。８は基板３上に搭載された炊飯器の制御を行うマイクロコンピュータ、９は使用者が炊飯器を操作するための操作キー、１０は操作キーに操作力を伝達するキートップである。
【００２０】
図２はバックライト５の構成図であり、基板３上のバックライト５の内部に発光ダイオード１１、１２、１３が搭載されている。なお、各発光ダイオード１１〜１３のうち１１はオレンジ色に、１２は赤色に、１３は緑色にそれぞれ発光する。
【００２１】
このように構成された炊飯器において、以下その動作について説明する。使用者が炊飯器を操作する際、表示パネル２の操作部を押すことでキートップ１０を介して操作キー９をオンする。マイクロコンピュータ８は操作キー９のオン信号を入力すると、その入力信号に従って液晶表示素子４の表示内容を変更すると共に、発光ダイオード１１、１２、１３のうちそれぞれの炊飯器の動作モードにあった発光ダイオードを点灯する。例えば、炊飯モードを実行すると発光ダイオード１２を点灯し、タイマー予約を実行すると発光ダイオード１３を点灯し、それ以外では発光ダイオード１１を点灯する。
【００２２】
そして、マイクロコンピュータ４は、炊飯モードやタイマー予約等の動作を完了したり、操作キー１０の入力を一定時間以上入力しない場合は、全ての発光ダイオード１１、１２、１３を非点灯とする。また、炊飯器に商用電源を通電していない状態では、全ての発光ダイオード１１、１２、１３は非点灯である。
【００２３】
このように、発光ダイオード１１、１２、１３が非点灯状態では、液晶表示素子４の透過部を透過した外来光が透明樹脂６の表面に塗布されたオレンジ色の蛍光塗料７で反射される。一方、発光ダイオード１１を点灯した状態では、発光ダイオード１１はオレンジ色であるので、オレンジ光がオレンジ蛍光塗料７の層を透過してオレンジ光として放射される。
【００２４】
また、発光ダイオード１２を点灯した状態では、発光ダイオード１２は赤色であるので、赤色光がオレンジ蛍光塗料７の層を透過して赤色光として放射される。また、発光ダイオード１３を点灯した状態では、発光ダイオード１３は緑色であるので、緑色光がオレンジ蛍光塗料７の層を透過して黄緑色光として放射される。
【００２５】
以上のように本実施例によれば、透過型の液晶表示素子４とバックライト５の間にオレンジ色の蛍光塗料７を塗布した透明樹脂６を配置することにより、発光ダイオード１１、１２、１３が非点灯状態でも外来光により、オレンジ蛍光塗料７で反射された蛍光色で液晶表示素子４を照らすことができる。
【００２６】
また、発光ダイオード１１、１２、１３のどの発光ダイオードが点灯しても、発光ダイオードの発光色に近い色で一層鮮明に液晶表示素子４を照らすことができる。
【００２７】
（実施例２）
以下、本発明の第２の実施例について図１と図３を参照しながら説明する。ただし図１は実施例１で説明をしているので詳細な説明は省略する。図３において、１４はバックライト５の外装、１５はオレンジ色に発光する発光ダイオード、１６は発光ダイオードの光をバックライト５の上面全面に拡散させる透明な導光板でありこの上面にはオレンジ色の蛍光塗料１７が塗布されている。そしてバックライトの外装１４は、発光ダイオード１５の光を上面方向にのみ放射するよう導光板１６の側面及び底面を囲む形状となっている。
【００２８】
このように構成された炊飯器において、以下その動作について説明する。使用者が炊飯器を操作する際、表示パネル２の操作部を押すことでキートップ１０を介して操作キー９をオンする。マイクロコンピュータ８は操作キー９のオン信号を入力すると、その入力信号に従って液晶表示素子４の表示内容を変更すると共に、発光ダイオード１５を点灯する。
【００２９】
そして、マイクロコンピュータ４は、炊飯モードやタイマー予約等の動作を完了したり、操作キー１０の入力を一定時間以上入力しない場合は、発光ダイオード１５を非点灯とする。また、炊飯器に商用電源を通電していない状態では、発光ダイオード１５は非点灯である。
【００３０】
このように、発光ダイオード１５が非点灯状態では、液晶表示素子４の透過部を透過した外来光が導光板１６の上面に塗布されたオレンジ色の蛍光塗料１７で反射される。一方、発光ダイオード１５を点灯した状態では、発光ダイオード１５はオレンジ色であるので、オレンジ光がオレンジ蛍光塗料１７の層を透過してオレンジ光として放射される。
【００３１】
なお、本実施例では、発光ダイオード１５の発光色はオレンジ色としたが、赤色や緑色と言った発光色を用いることで、発光ダイオード１５の非点灯状態と点灯状態をよりはっきり認識できるようになる。
【００３２】
以上のように本実施例によれば、バックライト５の導光板１６の上面にオレンジ色の蛍光塗料１７を塗布することにより、発光ダイオード１５が非点灯状態でも外来光により、オレンジ蛍光塗料１７で反射された蛍光色で液晶表示素子４を照らすことができる。
【００３３】
また、発光ダイオード１５が点灯すると、発光ダイオードの発光色により一層鮮明に液晶表示素子４を照らすことができる。
【００３４】
（実施例３）
以下、本発明の第３の実施例について図１と図４を参照しながら説明する。ただし図１は実施例１で説明をしているので詳細な説明は省略する。図４はバックライトの断面図であり、５はバックライトの外装、３はバックライト５を搭載している基板、１１はオレンジ色に発光する発光ダイオード、６は透明樹脂であり上面にオレンジ色の蛍光塗料７を塗布し下面に赤色の塗料１８を塗布している。
【００３５】
このように構成された炊飯器において、以下その動作について説明する。使用者が炊飯器を操作する際、表示パネル２の操作部を押すことでキートップ１０を介して操作キー９をオンする。マイクロコンピュータ８は操作キー９のオン信号を入力すると、その入力信号に従って液晶表示素子４の表示内容を変更すると共に、発光ダイオード１１を点灯する。
【００３６】
そして、マイクロコンピュータ４は、炊飯モードやタイマー予約等の動作を完了したり、操作キー１０の入力を一定時間以上入力しない場合は、発光ダイオード１１を非点灯とする。また、炊飯器に商用電源を通電していない状態では、発光ダイオード１１は非点灯である。
【００３７】
このように、発光ダイオード１１が非点灯状態では、液晶表示素子４の透過部を透過した外来光が透明樹脂６の上面に塗布されたオレンジ色の蛍光塗料７で反射される。一方、発光ダイオード１１を点灯した状態では、発光ダイオード１１はオレンジ色であるので、オレンジ光が赤色塗料１８とオレンジ蛍光塗料７の層を透過して赤色光として放射される。
【００３８】
以上のように本実施例によれば、透明樹脂６の上面にオレンジ色の蛍光塗料７を塗布し下面に赤色の塗料１８を塗布することにより、発光ダイオード１１が非点灯状態でも外来光により、オレンジ蛍光塗料７で反射された蛍光色で液晶表示素子４を照らすことができる。
【００３９】
また、発光ダイオード１１が点灯すると、発光ダイオード１１の発光色と赤色の塗料１８の色とオレンジ色の蛍光塗料７の合わせた色により一層鮮明に液晶表示素子４を照らすことができるので、発光ダイオード１１の点灯時と非点灯時で液晶表示素子４の表示色を変更することができる。
【００４０】
なお、本実施例では、赤色の塗料１８は透明樹脂の下面全面に塗布したようにしているが、部分的に塗布することで発光ダイオード１１の点灯状態では、液晶表示素子４の表示が赤色塗料１８を塗布した部分は赤色に、赤色塗料１８を塗布していない部分はオレンジ色に発光し、一色の発光ダイオードで複数色の表示が可能になり、液晶表示内容を表示できいっそう表示を明るく表示内容を見やすいくできる。
【００４１】
（実施例４）
以下、本発明の第４の実施例について図１と図５を参照しながら説明する。ただし図１は実施例１で説明をしているので詳細な説明は省略する。図５はバックライトの断面図であり、５はバックライトの外装、３はバックライト５を搭載している基板、１１はオレンジ色に発光する発光ダイオード、１９は赤色の半透明樹脂であり上面にオレンジ色の蛍光塗料７を塗布している。
【００４２】
このように構成された炊飯器において、以下その動作について説明する。使用者が炊飯器を操作する際、表示パネル２の操作部を押すことでキートップ１０を介して操作キー９をオンする。マイクロコンピュータ８は操作キー９のオン信号を入力すると、その入力信号に従って液晶表示素子４の表示内容を変更すると共に、発光ダイオード１１を点灯する。
【００４３】
そして、マイクロコンピュータ４は、炊飯モードやタイマー予約等の動作を完了したり、操作キー１０の入力を一定時間以上入力しない場合は、発光ダイオード１１を非点灯とする。また、炊飯器に商用電源を通電していない状態では、発光ダイオード１１は非点灯である。
【００４４】
このように、発光ダイオード１１が非点灯状態では、液晶表示素子４の透過部を透過した外来光が赤色半透明樹脂１９の上面に塗布されたオレンジ色の蛍光塗料７で反射される。一方、発光ダイオード１１を点灯した状態では、発光ダイオード１１はオレンジ色であるので、オレンジ光が赤色半透明樹脂１９とオレンジ蛍光塗料７の層を透過して赤色光として放射される。
【００４５】
以上のように本実施例によれば、赤色半透明樹脂１９の上面にオレンジ色の蛍光塗料７を塗布を塗布することにより、発光ダイオード１１が非点灯状態でも外来光により、オレンジ蛍光塗料７で反射された蛍光色で液晶表示素子４を照らすことができる。
【００４６】
また、発光ダイオード１１が点灯すると、発光ダイオード１１の発光色と赤色半透明樹脂１９の色とオレンジ色の蛍光塗料７の合わせた色により一層鮮明に液晶表示素子４を照らすことができるので、発光ダイオード１１の点灯時と非点灯時で液晶表示素子４の表示色を変更することができる。
【００４７】
（実施例５）
以下、本発明の第５の実施例について図１と図６を参照しながら説明する。ただし図１は実施例１で説明をしているので詳細な説明は省略する。図６はバックライトの断面図であり、５はバックライトの外装、３はバックライト５を搭載している基板、１１はオレンジ色に発光する発光ダイオード、６は透明樹脂であり上面にオレンジ色の蛍光塗料７を塗布し下面には赤色の塗料２０と緑色の塗料２１を塗布している。
【００４８】
このように構成された炊飯器において、以下その動作について説明する。使用者が炊飯器を操作する際、表示パネル２の操作部を押すことでキートップ１０を介して操作キー９をオンする。マイクロコンピュータ８は操作キー９のオン信号を入力すると、その入力信号に従って液晶表示素子４の表示内容を変更すると共に、発光ダイオード１１を点灯する。
【００４９】
そして、マイクロコンピュータ４は、炊飯モードやタイマー予約等の動作を完了したり、操作キー１０の入力を一定時間以上入力しない場合は、発光ダイオード１１を非点灯とする。また、炊飯器に商用電源を通電していない状態では、発光ダイオード１１は非点灯である。
【００５０】
このように、発光ダイオード１１が非点灯状態では、液晶表示素子４の透過部を透過した外来光が透明樹脂６の上面に塗布されたオレンジ色の蛍光塗料７で反射される。一方、発光ダイオード１１を点灯した状態では、発光ダイオード１１はオレンジ色であるので、赤色の塗料２０を塗布した部分は赤色塗料１８とオレンジ蛍光塗料７の層を透過して赤色光として放射され、緑色の塗料２１を塗布した部分は緑色塗料２１とオレンジ蛍光塗料の層を透過して黄緑色光として放射される。
【００５１】
以上のように本実施例によれば、透明樹脂６の上面にオレンジ色の蛍光塗料７を塗布し下面に赤色の塗料２０と緑色の塗料２１を塗布することにより、発光ダイオード１１が非点灯状態でも外来光により、オレンジ蛍光塗料７で反射された蛍光色で液晶表示素子４を照らすことができる。
【００５２】
また、発光ダイオード１１が点灯すると、発光ダイオード１１の発光色と赤色の塗料２０の色とオレンジ色の蛍光塗料７の合わせた色の部分と、発光ダイオード１１の発光色と赤色の塗料２１の色とオレンジ色の蛍光塗料７の合わせた色の部分とにより一層鮮明に液晶表示素子４を照らすことができるので、発光ダイオード１１の点灯時と非点灯時で液晶表示素子４の表示色を変更することができる。
【００５３】
【発明の効果】
以上のように、請求項１に記載の発明によれば、現在時刻等を表示する液晶表示素子と、この液晶表示素子の後面に設けたバックライトと、前記液晶表示素子と前記バックライトの間に有色の半透過板を備えるようにしたから、バックライトが非点灯状態でも外来光により有色の半透過板で反射された反射光色で液晶表示素子の表示内容を容易に認識でき、かつ液晶表示内容をカラー表示で表示できデザイン性を向上することができ、さらにバックライトが点灯することによりバックライトの発光色によりいっそう表示を明るく表示内容が見やすい炊飯器を提供できる。
【００５４】
請求項２に記載の発明によれば、上記請求項１に記載の発明において、有色の半透過板を透明樹脂の片面に有色の蛍光塗料を塗布するようにしたから、バックライトが非点灯状態でも外来光により蛍光塗料で反射された蛍光色で液晶表示素子の表示内容を容易に認識でき、かつ液晶表示内容をカラー表示で表示できデザイン性を向上することができ、さらに、バックライトの点灯時はバックライトの光が透明樹脂を透過し蛍光塗料に当たることで、いっそう表示を明るく表示内容が見やすい炊飯器を提供できる。
【００５５】
請求項３に記載の発明によれば、上記請求項２に記載の発明において、バックライトは発光素子とこの発光素子の光を導光拡散する透明な導光板と外装とから構成され、透明樹脂をバックライトの導光板としたものであるから、バックライトが非点灯状態でも外来光により蛍光塗料で反射された蛍光色で液晶表示素子の表示内容を容易に認識でき、かつ液晶表示内容をカラー表示で表示できデザイン性を向上することができる。さらに、バックライトの点灯時はバックライトの光が透明樹脂を透過し蛍光塗料に当たることで、いっそう表示を明るく表示内容が見やすい炊飯器を提供できる。
【００５６】
請求項４に記載の発明によれば、上記請求項１に記載の発明において、有色の半透過板をオレンジ色としバックライトの発光色はオレンジ色もしくは赤色もしくは緑色のいずれかとしたものであるから、バックライトが非点灯状態でも外来光によりオレンジ色の半透過板で反射されたオレンジ色の反射光色で液晶表示素子の表示内容を容易に認識でき、かつ液晶表示内容をオレンジ表示で表示できデザイン性を向上することができ、さらにバックライトが点灯することによりバックライトの発光色で液晶表示内容を表示し、いっそう表示を明るく炊飯器の動作状態が認識しやすい炊飯器を提供できる。
【００５７】
請求項５に記載の発明によれば、上記請求項１に記載の発明において、有色の半透過板は透明樹脂の表面に有色の蛍光塗料を塗布し裏面には表面と異なる有色の塗料を塗布したものであるから、バックライトが非点灯状態でも表面の蛍光塗料の発色により明るくて表示内容を容易に認識でき、かつ、液晶表示内容をカラー表示で表示できデザイン性を向上することができ、さらに、バックライトの点灯時はバックライトの光が裏面の塗料を通過し蛍光塗料に当たることで、バックライトの非点灯時とは異なる発光色で液晶表示内容を表示しいっそう表示を明るく炊飯器の動作状態が認識しやすい炊飯器を提供できる。
【００５８】
請求項６に記載の発明によれば、上記請求項１に記載の発明において、有色の半透過板は有色の半透明樹脂の表面に樹脂の色とは異なる有色の蛍光塗料を塗布したものであるから、バックライトが非点灯状態でも表面の蛍光塗料の発色により明るくて表示内容を容易に認識でき、かつ、液晶表示内容をカラー表示で表示できデザイン性を向上することができ、さらに、バックライトの点灯時はバックライトの光が有色の半透明樹脂を通過し蛍光塗料に当たることで、バックライトの非点灯時とは異なる発光色で液晶表示内容を表示しいっそう表示を明るく炊飯器の動作状態が認識しやすい炊飯器を提供できる。
【００５９】
請求項７に記載の発明によれば、上記請求項５に記載の発明において、裏面の有色の塗料は、前記液晶表示素子の表示内容にあわせて色分けして塗布したものであるから、バックライトが非点灯状態でも表面の蛍光塗料の発色により明るくて表示内容を容易に認識でき、さらに液晶表示内容をカラー表示で表示できデザイン性を向上することができる。さらに、バックライトの点灯時はバックライトの光が裏面の塗料を通過し蛍光塗料に当たることで、一色の発光ダイオードでバックライトの非点灯時とは異なる何種類かの発光色で液晶表示内容を表示できいっそう表示を明るく表示内容が見やすい炊飯器を提供できる。
【図面の簡単な説明】
【図１】本発明の実施例１における炊飯器の操作部要部断面図
【図２】同炊飯器のバックライト部断面図
【図３】本発明の実施例２における炊飯器のバックライト部断面図
【図４】本発明の実施例３における炊飯器のバックライト部断面図
【図５】本発明の実施例４における炊飯器のバックライト部断面図
【図６】本発明の実施例５における炊飯器のバックライト部断面図
【符号の説明】
４　液晶表示素子
５　バックライト
６　透明樹脂
７　蛍光塗料
１１　発光ダイオード
１２　発光ダイオード
１３　発光ダイオード
１４　バックライト外装
１５　発光ダイオード
１６　導光板
１７　蛍光塗料
１８　赤色塗料
１９　有色半透明樹脂
【図１】
2004113472.tif 000003
【図２】
2004113472.tif 000004
【図３】
2004113472.tif 000005
【図４】
2004113472.tif 000006
【図５】
2004113472.tif 000007
【図６】
2004113472.tif 000008